(57)【要約】【課題】簡単な構成でありながら液体の流れを遮断することなくフィルタユニットのメンテナンスを行え、液体の漏れも最小限に止めることができる濾過装置を得ることにある。【解決手段】濾過装置は、液体が流入する入口および液体が流出する出口が設けられた本体と、本体の内部に入口および出口に連通された収容室を規定するとともに、本体の外に開口されたフィルタ挿入口を有するシリンダ部と、収容室に収容されたフィルタユニットと、を備えている。フィルタユニットは、筒状のフィルタケース、フィルタケースに設けられたシール部材およびフィルタエレメントを有する。フィルタケースは、フィルタ挿入口を通じて本体の外から収容室に取り出し可能に挿入されるとともに、液体が通過するように構成されている。シール部材は、シリンダ部の内面に摺動可能に接することでシリンダ部とフィルタケースとの間を液密にシールする。フィルタエレメントは、フィルタケースを通過する前記液体を濾過する。【選択図】図２
2013063373.tif 000002
【特許請求の範囲】
【請求項１】
液体が流入する入口および液体が流出する出口が設けられた本体と、
前記本体に設けられ、前記本体の内部に前記入口および前記出口に連通された収容室を規定するとともに、前記本体の外に開口されたフィルタ挿入口を有するシリンダ部と、
前記収容室に収容されたフィルタユニットと、を具備し、
前記フィルタユニットは、
前記フィルタ挿入口を通じて前記本体の外から前記収容室に取り出し可能に挿入され、前記液体が通過するように構成された筒状のフィルタケースと、
前記フィルタケースに設けられ、前記シリンダ部の内面に摺動可能に接することで前記シリンダ部と前記フィルタケースとの間を液密に密封するシール部材と、
前記フィルタケースに設けられ、前記フィルタケースを通過する前記液体を濾過するフィルタエレメントと、
を含む濾過装置。
【請求項２】
請求項１の記載において、前記シリンダ部は、前記本体内で前記入口と前記出口との間に位置されるとともに、前記入口および前記出口が開口する方向とは交差する方向に延びる濾過装置。
【請求項３】
請求項２の記載において、前記フィルタ挿入口は、前記シリンダ部の軸方向に沿う一端で前記本体の外に開口された濾過装置。
【請求項４】
請求項１の記載において、前記フィルタケースは、前記入口から前記収容室に向かう液体が通過する流入口と、前記フィルタエレメントで濾過された前記液体が通過する流出口と、を有し、前記流入口および前記流出口は、前記フィルタケースの軸方向に互いに離間された濾過装置。
【請求項５】
請求項４の記載において、前記フィルタケースは、前記フィルタ挿入口とは反対側の端部に開口部を有し、当該開口部が取り外し可能なキャップで塞がれる濾過装置。
【請求項６】
請求項５の記載において、前記フィルタエレメントは、前記開口部を通じて前記フィルタケースの内側に取り出し可能に収容される濾過装置。
【請求項７】
請求項１の記載において、前記フィルタケースは、軸方向に沿う一端に位置された第１の端部と、前記第１の端部とは反対側の他端に位置された第２の端部と、を有し、前記シール部材は、前記第１の端部および前記第２の端部に位置されるとともに、前記フィルタケースの周方向に連続するリング形である濾過装置。
【請求項８】
請求項１の記載において、前記フィルタ挿入口に連続するように前記本体に取り外し可能に支持されたアダプターをさらに備えており、前記アダプターは、前記フィルタユニットが通過可能な筒状のガイド部を有し、当該ガイド部は、前記フィルタ挿入口を介して前記収容室に同軸状に連通される濾過装置。
【請求項９】
請求項８の記載において、前記アダプターは、前記フィルタユニットが出し入れされるように前記ガイド部の先端に開口された開口部と、前記ガイド部に設けられ、前記開口部を取り囲む受け部と、を備える濾過装置。
【請求項１０】
液体が流入する入口および液体が流出する出口が設けられた本体と、
前記本体に設けられ、前記本体の内部に前記入口および前記出口に連通された収容室を規定するとともに、前記収容室の一端で前記本体の外に開口されたフィルタ挿入口と、前記フィルタ挿入口の反対側で前記本体の外に開口されたフィルタ取り出し口と、を有する筒状のシリンダ部と、
前記収容室に収容される第１のフィルタユニットと、
前記第１のフィルタユニットと交換して前記収容室に収容される第２のフィルタユニット、を具備し、
前記第１のフィルタユニットおよび前記第２のフィルタユニットは、
前記フィルタ挿入口を通じて前記本体の外から前記収容室に取り出し可能に挿入され、前記液体が通過するように構成された筒状のフィルタケースと、
前記フィルタケースに設けられ、前記シリンダ部の内面に摺動可能に接することで前記シリンダ部と前記フィルタケースとの間を液密に密封するシール部材と、
前記フィルタケースに設けられ、前記フィルタケースを通過する前記液体を濾過するフィルタエレメントと、を夫々備え、
前記第２のフィルタユニットは、前記フィルタ挿入口から前記収容室に挿入されるとともに、前記収容室に収容された前記第１のフィルタユニットに突き当たることで前記第１のフィルタユニットを前記収容室から前記フィルタ取り出し口を通じて前記本体の外に押し出す濾過装置。
【請求項１１】
請求項１０の記載において、前記フィルタ挿入口に連続するように前記本体に取り外し可能に支持された第１のアダプターをさらに備え、前記第１のアダプターは、前記第１および第２のフィルタユニットが通過可能な筒状のガイド部を有し、当該ガイド部は、前記フィルタ挿入口を介して前記収容室に同軸状に連通される濾過装置。
【請求項１２】
請求項１０又は請求項１１の記載において、前記フィルタ取り出し口に連続するように前記本体に取り外し可能に支持された第２のアダプターをさらに備え、前記第２のアダプターは、前記第１および第２のフィルタユニットが通過可能な筒状のガイド部を有し、当該ガイド部は、前記フィルタ取り出し口を介して前記収容室に同軸状に連通される濾過装置。
【発明の詳細な説明】
【技術分野】
【０００１】
本発明の実施形態は、例えば冷却液のような液体中に含まれる不純物を除去する濾過装置に関する。
【背景技術】
【０００２】
地上波デジタル放送用のテレビ送信機では、例えば電力増幅器（以下、ＰＡと称する）のような発熱する構成要素を水冷式の冷却装置を用いて強制的に冷却することが行われている。
【０００３】
この種の冷却装置では、テレビ送信機とラジエータとの間で冷却水を循環させることにより、ＰＡの熱をラジエータに移送している。冷却水の中に例えば錆やスラッジのような固形状の不純物が混入した場合、不純物が冷却水の流れを妨げたり、冷却水の漏れを引き起こす要因となることがあり得る。
【０００４】
そのため、従来の冷却装置は、冷却水が流れる配管の途中にストレーナのような濾過装置を装備している。濾過装置は、冷却水を濾過して不純物を取り除くフィルタエレメントを有している。フィルタエレメントは、定期的に洗浄又は交換を行えるように濾過装置のケースに取り外し可能に収容されている。
【０００５】
さらに、フィルタエレメントのメンテナンスを実行する際に、冷却水の漏れを防止したり、冷却水の流れを遮断することなくフィルタエレメントのメンテナンス作業を可能とした濾過装置が知られている。
【先行技術文献】
【特許文献】
【０００６】
【特許文献１】特開２００５−８３４９０号公報
【特許文献２】特開２００４−２８６１８８号公報
【発明の概要】
【発明が解決しようとする課題】
【０００７】
冷却水の流れを遮断することなくフィルタエレメントのメンテナンスを可能とした従来の濾過装置は、冷却水の漏れを防止する操作弁やフィルタエレメントを冷却水の流路を外れた位置に移動させる操作手段を内蔵している。
【０００８】
このような濾過装置によると、濾過装置の内部に数多くの可動要素を組み込む必要がある。この結果、濾過装置の構成が複雑化し、濾過装置のコストが上昇したり、濾過装置が大型化するのを避けられない。
【課題を解決するための手段】
【０００９】
実施形態によれば、濾過装置は、液体が流入する入口および液体が流出する出口が設けられた本体と、前記本体に設けられ、前記本体の内部に前記入口および前記出口に連通された収容室を規定するとともに、前記本体の外に開口されたフィルタ挿入口を有するシリンダ部と、前記収容室に収容されたフィルタユニットと、を備えている。
【００１０】
前記フィルタユニットは、筒状のフィルタケース、前記フィルタケースに設けられたシール部材および前記フィルタケースに設けられたフィルタエレメントを有している。前記フィルタケースは、前記フィルタ挿入口を通じて前記本体の外から前記収容室に取り出し可能に挿入されるとともに、前記液体が通過するように構成されている。前記シール部材は、前記シリンダ部の内面に摺動可能に接することで前記シリンダ部と前記フィルタケースとの間を液密にシールする。前記フィルタエレメントは、前記フィルタケースを通過する前記液体を濾過する。
【図面の簡単な説明】
【００１１】
【図１】第１の実施形態に係るテレビ送信機用の冷却システムを概略的に示す系統図。
【図２】第１の実施形態に係る濾過装置の断面図。
【図３】第１の実施形態において、本体からフィルタユニットを引き上げた状態を示す濾過装置の断面図。
【図４】第２の実施形態に係る濾過装置の断面図。
【図５】第３の実施形態に係る濾過装置の断面図。
【図６】第３の実施形態において、既存の第１のフィルタユニットを新たな第２のフィルタユニットを用いて本体から下向きに押し出した状態を示す濾過装置の断面図。
【図７】第４の実施形態において、既存の第１のフィルタユニットを新たな第２のフィルタユニットを用いて本体から上向きに押し出した状態を示す濾過装置の断面図。
【発明を実施するための形態】
【００１２】
［第１の実施形態］
以下、第１の実施形態について、図１ないし図３を参照して説明する。
【００１３】
図１は、例えば地上波デジタル放送用のテレビ送信機１を強制的に冷却する水冷式の冷却システム２を開示している。
【００１４】
図１に概略的に示すように、テレビ送信機１は、複数のＰＡ３により構成されている。ＰＡ３は、動作中に発熱を伴うため、適切な動作を保証するために冷却を必要としている。第１の実施形態によると、ＰＡ３は、例えばトランジスタ等の発熱体が熱的に接続されたコールドプレートを有し、コールドプレート内の水路がテレビ送信機１の水冷配管５に接続されている。
【００１５】
図１に示す冷却システム２は、冷却水が流れる循環経路７を備えている。冷却水は、液体の一例であって、例えば不凍液、純水を用いることができる。循環経路７は、第１ないし第３の配管８，９，１０を有している。
【００１６】
第１の配管８は、テレビ送信機１の水冷配管５とラジエータ１１との間を接続している。第２の配管９は、ラジエータ１１とリザーブタンク１２との間を接続している。第３の配管１０は、リザーブタンク１２とテレビ送信機１の水冷配管５との間を接続している。
【００１７】
ポンプ１３が第３の配管１０に設けられている。ポンプ１３は、リザーブタンク１２に蓄えられた冷却水をＰＡ３のコールドプレートに供給する。コールドプレートに供給された冷却水は、コールドプレートを通過する過程でＰＡ３内の発熱体の熱を吸収する。
【００１８】
ＰＡ３のコールドプレートで熱交換された冷却水は、テレビ送信機１の水冷配管５から第１の配管８を介してラジエータ１１に導かれる。ラジエータ１１に導かれた冷却水は、ラジエータ１１を通過する過程で冷却された後、第２の配管９を介してリザーブタンク１２に戻される。
【００１９】
したがって、冷却水は、テレビ送信機１とラジエータ１１との間で循環することにより、ＰＡ３が発する熱をラジエータ１１に移送する。ラジエータ１１に移送された熱は、ラジエータ１１から大気中に放出される。
【００２０】
図１に示すように、濾過装置１５が第３の配管１０に設けられている。濾過装置１５は、第３の配管１０を流れる冷却水を濾過することにより、例えば錆やスラッジのような固形状の不純物を冷却水中から除去するためのものであって、第１の実施形態では、ポンプ１３とテレビ送信機１との間に位置されている。
【００２１】
図２および図３は、濾過装置１５の詳細を示している。濾過装置１５は、本体１６とフィルタユニット１７とで構成されている。
【００２２】
本体１６は、ケース１８、天板１９および底板２０を備えている。ケース１８は、例えば中空の円筒形であり、鉛直方向に沿う中心軸線Ｏ１を有している。ケース１８の内部は、仕切り壁２１によって第１の室２２ａと第２の室２２ｂとに仕切られている。第１の室２２ａは、仕切り壁２１の上側に位置されている。第２の室２２ｂは、仕切り壁２１の下側に位置されている。
【００２３】
冷却水が流入する入口２４および冷却水が流出する出口２５がケース１８の外周部に一体に形成されている。入口２４は、ケース１８の外周部からケース１８の中心軸線Ｏ１と直交するように水平に突出されている。入口２４は、第１の室２２ａに開口されているとともに、第３の配管１０の上流部分に接続されている。
【００２４】
出口２５は、ケース１８の外周部からケース１８の中心軸線Ｏ１と直交するように水平に突出されている。出口２５は、ケース１８の中心軸線Ｏ１に対し入口２４の反対側に位置されている。さらに、出口２５は、第２の室２２ｂに開口されているとともに、第３の配管１０の下流部分に接続されている。
【００２５】
図２に示すように、円筒状のシリンダ部２６がケース１８の内部に一体に形成されている。シリンダ部２６は、ケース１８の中心軸線Ｏ１と同軸状に形成されて、仕切り壁２１の中央部、第１の室２２ａの中央部および第２の室２２ｂの中央部を連続して貫通している。このため、シリンダ部２６は、入口２４と出口２５との間で入口２４および出口２５が開口する方向と直交する方向に延びている。
【００２６】
さらに、シリンダ部２６は、ケース１８の内部に収容室２７を規定している。収容室２７は、ケース１８の中心軸線Ｏ１に沿ってケース１８の鉛直方向に延びている。
【００２７】
第１の連通孔２８ａがシリンダ部２６の上部に形成されている。第１の連通孔２８ａは、第１の室２２ａおよび収容室２７に開口されている。第１の実施形態では、第１の連通孔２８ａがケース１８の内部で入口２４と向かい合っているが、必ずしも入口２４と向かい合う必要はない。
【００２８】
第２の連通孔２８ｂがシリンダ部２６の下部に形成されている。第２の連通孔２８ｂは、第２の室２２ｂおよび収容室２７に開口されている。第１の実施形態では、第２の連通孔２８ｂがケース１８の内部で出口２５と向かい合っているが、必ずしも出口２５と向かい合う必要はない。
【００２９】
そのため、第１の連通孔２８ａおよび第２の連通孔２８ｂは、シリンダ部２６に対しシリンダ部２６の径方向に沿って開口されている。
【００３０】
図２に示すように、本体１６の天板１９は、ケース１８の上端部に固定されて、第１の室２２ａの開放端を液密に塞いでいる。本体１６の底板２０は、ケース１８の下端部に固定されて、第２の室２２ｂの開放端および収容室２７の下端を液密に塞いでいる。
【００３１】
天板１９は、円形のフィルタ挿入口２９を有している。フィルタ挿入口２９は、天板１９を貫通してシリンダ部２６の上端に同軸状に連通されている。シリンダ部２６の上端は、シリンダ部２６の軸方向に沿う一端に位置されている。このため、収容室２７の上端は、フィルタ挿入口２９を介して本体１６の外に開口されている。
【００３２】
さらに、第１の実施形態では、フィルタ挿入口２９の内径がシリンダ部２６の内径と同一となっている。したがって、フィルタ挿入口２９の内面は、シリンダ部２６の内面に対し段差を生じることなく面一に連続されている。
【００３３】
一方、前記フィルタユニット１７は、本体１６の収容室２７に取り外し可能に収容されている。フィルタユニット１７は、フィルタケース３１、キャップ３２およびフィルタエレメント３３を備えている。
【００３４】
フィルタケース３１は、フィルタ挿入口２９から収容室２７に出し入れ可能な中空の円筒状である。フィルタケース３１は、開口部３４を有している。開口部３４は、フィルタ挿入口２９の反対側であるフィルタケース３１の下端に位置されている。フィルタケース３１の上端は、端板３５によって一体的に閉塞されている。
【００３５】
取っ手３６が端板３５の上面に取り付けられている。取っ手３６は、フィルタユニット１７を収容室２７から本体１６の外に取り出す際に、作業者が手の指先又は工具で掴む部分であって、フィルタ挿入口２９を通じて本体１６の外に露出されている。
【００３６】
流入口３７がフィルタケース３１の外周面の上部に形成されている。流入口３７は、第１の連通孔２８ａを介してケース１８の第１の室２２ａに通じている。流出口３８がフィルタケース３１の外周面の下部に形成されている。流出口３８は、第２の連通孔２８ｂを介してケース１８の第２の室２２ｂに通じている。流入口３７および流出口３８は、フィルタケース３１の軸方向に互いに離れている。
【００３７】
前記キャップ３２は、フィルタケース３１の下端の開口部３４に例えばねじ込み等の手段により取り外し可能に固定されている。キャップ３２は、フィルタケース３１と一体化されて、フィルタケース３１の一部を構成している。キャップ３２は、収容室２７の底に位置されているとともに、底板２０の内面に突き当てられている。
【００３８】
前記フィルタケース３１は、第１の端部４０、第２の端部４１および中間部４２を有している。第１の端部４０は、フィルタケース３１の上端を閉塞する端板３５の外周部に位置されている。第２の端部４１は、キャップ３２の外周部に位置されて、第１の端部４０に対しフィルタケース３１の軸方向に沿う反対側に位置されている。中間部４２は、第１の端部４０と第２の端部４１との間に位置されている。
【００３９】
第１の端部４０、第２の端部４１および中間部４２の外周面に夫々嵌合溝４３が形成されている。嵌合溝４３は、フィルタケース３１の周方向に連続されている。
【００４０】
各嵌合溝４３にＯリング４４が装着されている。Ｏリング４４は、シール部材の一例であって、フィルタケース３１の外周面から僅かに張り出している。フィルタケース３１を本体１６のフィルタ挿入口２９から収容室２７に挿入すると、Ｏリング４４の外周面がシリンダ部２６の外周面に摺動可能に接触する。
【００４１】
前記フィルタエレメント３３は、フィルタケース３１の開口部３４からフィルタケース３１の内側に取り外し可能に嵌合されている。フィルタエレメント３３は、例えば金網あるいはパンチングメタルにより中空の円筒状に形成されている。フィルタエレメント３３は、流出口３８から流出する冷却水を濾過するようにフィルタケース３１の流出口３８の内側に位置されている。
【００４２】
図２は、フィルタユニット１７が収容室２７の定位置に収容された状態を示している。フィルタユニット１７が収容室２７に収容されると、フィルタケース３１の端板３５がフィルタ挿入口２９よりも下方に位置されるとともに、キャップ３２が収容室２７の底で底板２０に突き当たる。
【００４３】
さらに、フィルタケース３１の外周面から張り出したＯリング４４がシリンダ部２６の内面に摺動可能に押し付けられ、フィルタケース３１とシリンダ部２６の内面との間を液密に密封する。
【００４４】
具体的には、フィルタケース３１の第１の端部４０に位置されたＯリング４４は、フィルタ挿入口２９に隣接した収容室２７の上端でフィルタケース３１とシリンダ部２６の内面との間を液密に密封する。
【００４５】
キャップ３２の外周面に位置されたＯリング４４は、収容室２７の底でフィルタケース３１とシリンダ部２６の内面との間を液密に密封する。フィルタケース３１の中間部４２に位置されたＯリング４４は、フィルタケース３１の流入口３７と流出口３８との間でフィルタケース３１とシリンダ部２６の内面との間を液密に密封する。
【００４６】
したがって、フィルタユニット１７は、Ｏリング４４とシリンダ部２６の内面との間の接触部分に生じた密着力により収容室２７の定位置に保持されている。それとともに、フィルタ挿入口２９は、フィルタケース３１の第１の端部４０に位置されたＯリング４４によって液密に閉塞されている。
【００４７】
このような第１の実施形態によると、リザーブタンク１２からテレビ送信機１の水冷配管５に向けて流れる冷却水は、本体１６の入口２４から第１の室２２ａ、第１の連通孔２８ａおよび流入口３７を通じてフィルタケース３１の上部に流入する。フィルタケース３１の上部に流入した冷却水は、図２に矢印Ａで示すように、フィルタケース３１の軸方向に沿うように下向きに流れて、フィルタエレメント３３の内側に導かれる。
【００４８】
冷却水は、フィルタエレメント３３を通過した後、流出口３８および第２の連通孔２８ｂを通じて第２の室２２ｂに導かれる。冷却水がフィルタエレメント３３を通過する際に、冷却水中に含まれる錆やスラッジのような固形状の不純物がフィルタエレメント３３によって捕捉される。
【００４９】
不純物が取り除かれた冷却水は、第２の室２２ｂから出口２５および第３の配管１０を介してテレビ送信機１の水冷配管５に供給される。
【００５０】
ところで、フィルタユニット１７は、濾過性能を維持するために定期的に交換したり、フィルタエレメント３３を清掃するメンテナンス作業を必要とする。
【００５１】
フィルタユニット１７のメンテナンスを実行するに当たっては、フィルタユニット１７の上端の取っ手３６を工具又は手の指先で掴み、フィルタユニット１７を本体１６から引き上げる。図３に示すように、フィルタユニット１７のキャップ３２がシリンダ部２６の上端部に達したならば、フィルタユニット１７の引き上げ作業を停止し、キャップ３２のＯリング４４でキャップ３２とシリンダ部２６の内面との間の液密を保つ。この結果、フィルタ挿入口２９がフィルタユニット１７のキャップ３２でシールされ、フィルタ挿入口２９から冷却水が漏洩することはない。
【００５２】
フィルタケース３１を本体１６から引き上げると、フィルタケース３１の多くが本体１６の外に露出されている。そのため、フィルタケース３１に対するキャップ３２のねじ込みが解除される方向にフィルタケース３１を周方向に回転させる。これにより、キャップ３２をシリンダ部２６の上端部に残したまま、フィルタケース３１をフィルタ挿入口２９から本体１６の外に取り出すことができる。
【００５３】
フィルタケース３１を本体１６の外に取り出した状態では、フィルタケース３１の開口部３４が開放されている。そのため、不純物により汚染されたフィルタエレメント３３を開口部３４からフィルタケース３１の外に取り出すことができる。
【００５４】
フィルタエレメント３３を清掃した後、不純物が除去されたフィルタエレメント３３を開口部３４からフィルタケース３１の内部に挿入する。さらに、開口部３４を先頭にした姿勢でフィルタケース３１をフィルタ挿入口２９に挿入し、シリンダ部２６の上端部に残っているキャップ３２にフィルタケース３１の開口部３４をねじ込む。
【００５５】
引き続いて、キャップ３２がねじ込まれたフィルタケース３１を下向きに押圧し、フィルタケース３１を収容室２７に導く。
【００５６】
このことにより、一連のフィルタユニット１７のメンテナンス作業が完了する。
【００５７】
第１の実施形態では、フィルタケース３１の外周面の三か所にＯリング４４が設けられている。Ｏリング４４は、フィルタケース３１の軸方向に離れた位置で収容室２７を規定するシリンダ部２６の内面に摺動可能に接触し、フィルタケース３１とシリンダ部２６の内面との間を液密に密封している。
【００５８】
特にキャップ３２の外周面に設けられたＯリング４４は、フィルタケース３１がフィルタ挿入口２９から本体１６の外に引き上げられた時点でもシリンダ部２６の内面に接触し、フィルタ挿入口２９を液密に密封した状態を維持している。
【００５９】
したがって、フィルタユニット１７を本体１６から引き上げる際に、冷却水の流れを一時的に遮断する必要はなく、冷却水の流れを止めることなくフィルタユニット１７のメンテナンス作業を実行することができる。
【００６０】
さらに、フィルタ挿入口２９は、本体１６の第１の連通孔２８ａよりも上方でキャップ３２のＯリング４４により密封されている。そのため、フィルタユニット１７を本体１６から引き上げた時に、フィルタケース３１に付着した冷却水が本体１６の外に流れ出たとしても、流れ出る冷却水の量は微々たるものとなる。
【００６１】
よって、冷却水の漏れを最小限に止めることができ、冷却水の補給やエアー抜きのような面倒な作業が不要となる。
【００６２】
加えて、Ｏリング４４の存在により、冷却水の漏れを防止する専用の弁装置が不要となるとともに、フィルタユニット１７を冷却水の流れから外れた位置まで移動させる複雑な構成要素を省略することができる。そのため、濾過装置１５の構成を簡略化して、濾過装置１５の部品点数を削減することができる。
【００６３】
よって、濾過装置１５のコストを低減しつつ、濾過装置１５のコンパクト化や軽量化が可能となるといった利点がある。
【００６４】
第１の実施形態では、キャップ３２をシリンダ部２６の上端部に残してフィルタケース３１を単独で本体１６の外に取り出しているが、例えば濾過装置１５を通過する冷却水の水量が少ない場合、キャップ３２をフィルタケース３１と一緒に本体の外に取り出すようにしてもよい。
【００６５】
さらに、フィルタエレメントをフィルタケースと一体化し、フィルタユニットを使い捨ての形態としてもよい。
【００６６】
［第２の実施形態］
図４は、第２の実施形態を開示している。第２の実施形態は、フィルタユニット１７の脱着性を高めるための構成が第１の実施形態と相違しており、それ以外の濾過装置１５の構成は、基本的に第１の実施形態と同様である。このため、第２の実施形態において、第１の実施形態と同一の構成部分については同一の参照符号を付して、その説明を省略する。
【００６７】
第２の実施形態に係る濾過装置１５は、フィルタユニット１７をメンテナンスする際に使用するアダプター５１を備えている。アダプター５１は、ガイド部５２とフランジ部５３とで構成されている。
【００６８】
ガイド部５２は、フィルタユニット１７のフィルタケース３１が挿通可能な円筒状であり、フィルタ挿入口２９に連続する第１の開口部５２ａと、ガイド部５２の先端に開口された第２の開口部５２ｂとを有している。第２の開口部５２ｂは、第１の開口部５２ａに対しガイド部５２の軸方向に沿う反対側に位置されている。ガイド部５２の内径は、フィルタ挿入口２９の内径と同一となっている。
【００６９】
フランジ部５３は、ガイド部５２の第１の開口部５２ａの開口端からガイド部５２の軸方向と直交する方向に張り出している。フランジ部５３は、ガイド部５２の周方向に連続する円盤状であり、本体１６の天板１９の上面に重ね合わされている。フランジ部５３は、例えば複数のボルトで天板１９に取り外し可能に固定されている。
【００７０】
フランジ部５３を天板１９に固定した状態では、ガイド部５２の第１の開口部５２ａがフィルタ挿入口２９に同軸状に連通されている。さらに、第２の実施形態では、ガイド部５２の内径がフィルタ挿入口２９の内径と同一となっているので、ガイド部５２の内面は、フィルタ挿入口２９の内面に対し段差を生じることなく面一に連続されている。
【００７１】
図４に示すように、アダプター５１は、冷却水を受け止める受け部５５をさらに備えている。受け部５５は、底壁５６と周壁５７とで構成されている。底壁５６は、ガイド部５２の周方向に連続するように、ガイド部５２の軸方向に沿う中間部の外周面からガイド部５２と直交する方向に水平に張り出している。
【００７２】
周壁５７は、底壁５６の外周縁から上向きに延出されて、ガイド部５２を同軸状に取り囲んでいる。このため、周壁５７の先端縁は、ガイド部５２の第２の開口部５２ｂの周囲に位置されている。
【００７３】
第２の実施形態によると、アダプター５１は、フィルタユニット１７を本体１６の収容室２７から取り外す際に本体１６の天板１９の上面に固定される。この固定により、アダプター５１のガイド部５２がフィルタ挿入口２９を通じて収容室２７に同軸状に連通される。
【００７４】
この状態で、ガイド部５２の第２の開口部５２ｂに例えばプライヤー等の工具を挿入し、この工具でフィルタユニット１７の取っ手３６を掴んでフィルタユニット１７を引き上げる。
【００７５】
これにより、収容室２７の内部のフィルタユニット１７が、フィルタ挿入口２９からアダプター５１のガイド部５２の内側に導かれる。そのため、フィルタユニット１７をガイド部５２の第２の開口部５２ｂを通じて本体１６の外に取り出すことができる。
【００７６】
フィルタユニット１７のメンテナンスが完了したら、キャップ３２を先頭にした姿勢でフィルタケース３１を第２の開口部５２ｂからガイド部５２の内側に挿入する。さらに、フィルタケース３１の取っ手３６をプライヤー等の工具を用いてガイド部５２の下方に向けて押し込むことにより、フィルタケース３１をフィルタ挿入口２９から収容室２７に導く。
【００７７】
第２の実施形態によると、アダプター５１のガイド部５２は、フィルタ挿入口２９および収容室２７と内径が同一であるとともに、フィルタ挿入口２９を通じて収容室２７に同軸状に連通されている。このため、フィルタユニット１７を収容室２７から取り出す場合に、ガイド部５２と収容室２７との同軸度を維持したまま、フィルタユニット１７を収容室２７から本体１６の外に引き出すことができる。
【００７８】
さらに、メンテナスを終了したフィルタユニット１７を収容室２７に収容する場合においても、収容室２７とフィルタユニット１７とを本体１６の外で同軸状に位置合わせした状態で、フィルタユニット１７を収容室２７に導くことができる。
【００７９】
したがって、収容室２７からフィルタユニット１７を引き抜く作業および収容室２７にフィルタユニット１７を導く作業を円滑に行うことができる。
【００８０】
さらに、第２の実施形態によると、アダプター５１は、第２の開口部５２ｂの周囲にガイド部５２を同軸状に取り囲む受け部５５を有している。このため、フィルタユニット１７をガイド部５２の第２の開口部５２ｂから引き抜く時に、例えばフィルタユニット１７に付着した冷却水が第２の開口部５２ｂから溢れ出たとしても、溢れ出た冷却水を受け部５５で受け止めることができる。
【００８１】
このため、冷却水が濾過装置１５の周囲に飛散するのを防止できる。
【００８２】
第２の実施形態では、フィルタユニット１７のメンテナンスを実行する時に、本体１６の天板１９にアダプター５１を固定したが、本体１６の天板１９に常時アダプター５１を固定するようにしてもよい。
【００８３】
さらに、アダプター５１を天板１９に固定する手段はボルトに限らない。例えば専用のアタッチメントを用いてアダプター５１のフランジ部５３を天板１９に取り外し可能に固定してもよい。
【００８４】
[第３の実施形態]
図５および図６は、第３の実施形態を開示している。第３の実施形態は、収容室２７に収容された既存のフィルタユニット１７を、新たなフィルタユニット６１で本体１６の収容室２７から押し出すようにした点が第１の実施形態と相違しており、これ以外の濾過装置１５の基本的な構成は、第１の実施形態と同様である。そのため、第３の実施形態において、第１の実施形態と同一の構成部分については同一の参照符号を付して、その説明を省略する。
【００８５】
新たなフィルタユニット６１は、収容室１７に収容された既存のフィルタユニット１７と互換性を有している。そのため、新たなフィルタユニット６１については、既存のフィルタユニット１７と同一の参照符号を付して、その詳細な説明を省略する。さらに、第３の実施形態では、既存のフィルタユニット１７が第１のフィルタユニットを構成し、新たなフィルタユニット６１が第２のフィルタユニットを構成している。
【００８６】
図５に示すように、本体１６の底板２０は、収容室２７の底に開口されたフィルタ取り出し６２を有している。フィルタ取り出し口６２は、収容室２７に同軸状に連通されているとともに、シリンダ部２６と同一の内径を有している。そのため、フィルタ取り出し口６２の内面は、シリンダ部２６の内面に対し段差を生じることなく面一に連続されている。
【００８７】
さらに、フィルタ取り出し口６２は、フィルタユニット１７のメンテナンス時を除き取り外し可能なプラグ６３で液密に塞がれている。
【００８８】
図６に示すように、濾過装置１５は、既存のフィルタユニット１７を収容室２７から取り出す際に使用する第１のアダプター６５を備えている。第１のアダプター６５は、ガイド部６６とフランジ部６７とで構成されている。
【００８９】
ガイド部６６は、フィルタユニット１７，６１のフィルタケース３１が挿通可能な円筒状であり、フィルタ挿入口２９に連続する第１の開口部６６ａと、ガイド部６６の先端に開口された第２の開口部６６ｂとを有している。第２の開口部６６ｂは、第１の開口部６６ａに対しガイド部６６の軸方向に沿う反対側に位置されている。ガイド部６６の内径は、フィルタ挿入口２９の内径と同一となっている。
【００９０】
フランジ部６７は、ガイド部６６の第１の開口部６６ａの開口端からガイド部６６の軸方向と直交する方向に水平に張り出している。フランジ部６７は、ガイド部６６の周方向に連続する円盤状であり、本体１６の天板１９の上面に重ね合わされている。フランジ部６７は、例えば複数のボルトで天板１９に取り外し可能に固定されている。
【００９１】
フランジ部６７を天板１９に固定した状態では、ガイド部６６の第１の開口部６６ａがフィルタ挿入口２９に同軸状に連通されている。さらに、第３の実施形態では、ガイド部６６の内径がフィルタ挿入口２９の内径と同一となっているので、ガイド部６６の内面は、フィルタ挿入口２９の内面に対し段差を生じることなく面一に連続されている。
【００９２】
第３の実施形態によると、既存のフィルタユニット１７を新たなフィルタユニット６１と交換するに当たっては、本体１６の天板１９の上面に第１のアダプター６５を固定する。さらに、プラグ６３を本体１６の底板２０から取り外し、フィルタ取り出し口６２を開放する。
【００９３】
この際、既存のフィルタユニット１７の下端に位置されたキャップ３２がフィルタ取り出し口６２の開口端と隣り合うとともに、キャップ３２に装着されたＯリング４４がシリンダ部２６の内面に密接している。このため、フィルタ取り出し口６２は、キャップ３２のＯリング４４で液密に閉塞された状態に保たれており、冷却水がフィルタ取り出し口６２から漏洩することはない。
【００９４】
キャップ３２を取り外した後、第１のアダプター６５の第２の開口部６６ｂに新たなフィルタユニット６１を挿入する。図６に示すように、新たなフィルタユニット６１は、キャップ３２を先頭にした姿勢で第２の開口部６６ｂからガイド部６６の内側に挿入される。
【００９５】
これにより、新たなフィルタユニット６１は、ガイド部６６の内面に沿ってフィルタ挿入口２９に導かれるとともに、新たなフィルタユニット６１のキャップ３２が収容室２７の上端に到達する。
【００９６】
新たなフィルタユニット６１をさらにガイド部６６に挿入すると、新たなフィルタユニット６１のキャップ３２が既存のフィルタユニット１７の端板３５の上面に突き当たる。これにより、既存のフィルタユニット１７がフィルタ取り出し口６２から本体１６の下方に押し出される。
【００９７】
既存のフィルタユニット１７がフィルタ取り出し口６２から押し出されるまでの期間中は、既存のフィルタユニット１７の上端に位置されたＯリング４４がシリンダ部２６の内面およびフィルタ取り出し口６２の内面に連続的に接触する。
【００９８】
それとともに、既存のフィルタユニット１７の上端がフィルタ取り出し口６２に達した時点では、新たなフィルタユニット６１のキャップ３２に装着されたＯリング４４がシリンダ部２６の下端の内面に接触する。
【００９９】
このため、フィルタ取り出し口６２は、フィルタユニット１７，６１のＯリング４４によって密封された状態に維持される。よって、既存のフィルタユニット１７がフィルタ取り出し口６２から押し出される時に、冷却水がフィルタ取り出し口６２から漏洩することはない。
【０１００】
新たなフィルタユニット６１がフィルタ挿入口２９を通じて収容室２７に導かれた時点で、フィルタ取り出し口６２にプラグ６３を装着し、プラグ６３でフィルタ取り出し口６２を液密に閉塞する。
【０１０１】
第３の実施形態によれば、新たなフィルタユニット６１を利用して収容室２７に収容された既存のフィルタユニット１７を本体１６の下方に押し出すことができる。したがって、既存のフィルタユニット１７が収容室２７から取り出されるのと同期して、新たなフィルタユニット６１を収容室２７に収容することができ、フィルタユニット１７，６１の交換作業を容易に行うことができる。
【０１０２】
さらに、新たなフィルタユニット６１は、第１のアダプター６５を介して収容室１７に挿入される。このため、新たなフィルタユニット６１と収容室２７とを本体１６の外で同軸状に位置合わせした状態で、新たなフィルタユニット６１を収容室２７に導くことができる。
【０１０３】
よって、収容室２７に新たなフィルタユニット６１を導く作業を円滑に行うことができる。
【０１０４】
[第４の実施形態]
図７は、第４の実施形態を開示している。第４の実施形態は、既存のフィルタユニット１７を新たなフィルタユニット６１で本体１６の上方に押し出すようにした点が第３の実施形態と相違しており、それ以外の濾過装置１５の基本的な構成は、第３の実施形態と同様である。そのため、第４の実施形態において、第３の実施形態と同一の構成部分には同一の参照符号を付して、その説明を省略する。
【０１０５】
第４の実施形態によると、フィルタ取り出し口７１が本体１６の天板１９に形成されている。フィルタ取り出し口７１は、収容室２７に同軸状に連通されているとともに、シリンダ部２６と同一の内径を有している。フィルタ取り出し口７１は、第１のアダプター６５のガイド部６６に同軸状に連通されている。
【０１０６】
さらに、フィルタ挿入口７２が本体１６の底板２０に形成されている。フィルタ挿入口７２は、収容室２７に同軸状に連通されているとともに、シリンダ部２６と同一の内径を有している。そのため、フィルタ取り出し口７１およびフィルタ挿入口７２は、シリンダ部２６の内面に対し段差を生じることなく面一に連続されている。
【０１０７】
なお、フィルタ挿入口７２は、濾過装置１５のメンテナンス時を除き取り外し可能なプラグ（図示せず）で液密に閉塞されている。
【０１０８】
第４の実施形態に係る濾過装置１５は、既存のフィルタユニット１７を収容室２７から取り出す際に使用する第２のアダプター７３を備えている。第２のアダプター７３は、ガイド部７４とフランジ部７５とで構成されている。
【０１０９】
ガイド部７４は、新たなフィルタユニット６１のフィルタケース３１が挿通可能な円筒状であり、フィルタ挿入口７２に連続する第１の開口部７４ａと、ガイド部７４の先端に開口された第２の開口部７４ｂとを有している。第２の開口部７４ｂは、第１の開口部７４ａに対しガイド部７４の軸方向に沿う反対側に位置されている。ガイド部７４の内径は、フィルタ挿入口７２の内径と同一となっている。
【０１１０】
フランジ部７５は、ガイド部７４の第１の開口部７４ａの開口端からガイド部７４の軸方向と直交する方向に水平に張り出している。フランジ部７５は、ガイド部７４の周方向に連続する円盤状であり、本体１６の底板２０の下面に重ね合わされている。フランジ部７５は、例えば複数のボルトで底板２０に取り外し可能に固定されている。フランジ部７５を底板２０に固定した状態では、ガイド部７４の第１の開口部７４ａがフィルタ挿入口７２に同軸状に連通されている。
【０１１１】
第４の実施形態によると、収容室２７に収容された既存のフィルタユニット１７を新たなフィルタユニット６１と交換するに当たっては、本体１６の天板１９の上面に第１のアダプター６５を固定する。さらに、本体１６の底板２０からプラグを取り外してプラグ挿入口７２を開放するとともに、底板２０の下面に第２のアダプター７３を固定する。  
この状態で、第２のアダプター７３の第２の開口部７４ｂに本体１６の下方から新たなフィルタユニット６１を挿入する。フィルタユニット６１は、端板３５を先頭にした姿勢で第２の開口部７４ｂからガイド部７４の内側に挿入される。
【０１１２】
この挿入により、新たなフィルタユニット６１は、ガイド部７４の内面に沿ってフィルタ挿入口７２に導かれるとともに、新たなフィルタユニット６１の端板３５が収容室２７の下端に到達する。
【０１１３】
新たなフィルタユニット６１をさらにガイド部７４に挿入すると、新たなフィルタユニット６１の端板３５が既存のフィルタユニット１７のキャップ３２の下面に突き当たる。これにより、既存のフィルタユニット１７がフィルタ取り出し口７１から第１のアダプター６５のガイド部６６の内側に押し上げられる。
【０１１４】
新たなフィルタユニット６１がフィルタ挿入口７２を通じて収容室２７に導かれた時点で、既存のフィルタユニット１７のフィルタケース３１の上端部がガイド部６６の第２の開口部６６ｂから第１のアダプター６５の外に押し出される。
【０１１５】
そのため、第２の開口部６６ｂから押し出されたフィルタケース３１の上端部を例えば手の指先で掴んで引き上げることにより、既存のフィルタユニット１７を本体１６の外に取り出すことができる。
【０１１６】
第４の実施形態によれば、新たなフィルタユニット６１を利用して収容室２７に収容された既存のフィルタユニット１７を本体１６の上方に押し出すことができる。したがって、既存のフィルタユニット１７が収容室２７から取り出されるのと同期して、新たなフィルタユニット６１を収容室２７に収容することができ、フィルタユニット１７，６１の交換作業を容易に行うことができる。
【０１１７】
さらに、新たなフィルタユニット６１は、第２のアダプター７３を介して収容室２７に導かれる。このため、新たなフィルタユニット６１と収容室２７とを本体１６の外で同軸状に位置合わせした状態で、新たなフィルタユニット６１を収容室２７に導くことができる。
【０１１８】
加えて、既存のフィルタユニット１７にしても、第１のアダプター６５を介して収容室１７から本体１６の外に押し出されるので、既存のフィルタユニット１７と収容室２７とを同軸状に保持したまま、既存のフィルタユニット１７を収容室２７の外に引き出すことができる。
【０１１９】
したがって、収容室２７に新たなフィルタユニット６１を導く作業および収容室２７から既存のフィルタユニット１７を引き抜く作業を円滑に行うことができる。
【０１２０】
第１ないし第４の実施形態では、本体のガイド部を鉛直方向に沿って配置したが、ガイド部の向きは鉛直方向に限らない。例えば、ガイド部を水平に配置したり、鉛直線に対し交差する方向に傾斜させてもよい。
【０１２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２２】
１５…濾過装置、１６…本体、１７，６１…フィルタユニット（第１のフィルタユニット、ダイ２ノフィルタユニット）、２４…入口、２５…出口、２６…シリンダ部、２７…収容室、２９，７２…フィルタ挿入口、３１…フィルタケース、３３…フィルタエレメント、４４…シール部材（Ｏリング）、６２，７１…フィルタ取り出し口。
【図１】
2013063373.tif 000003
【図２】
2013063373.tif 000004
【図３】
2013063373.tif 000005
【図４】
2013063373.tif 000006
【図５】
2013063373.tif 000007
【図６】
2013063373.tif 000008
【図７】
2013063373.tif 000009